【事件の表示】
　平成７年特許願第２８２４２３号「レーザーマーキング用樹脂組成物」拒絶査定不服審判事件〔平成９年４月１５日出願公開、特開平９−１００３９０〕について、次のとおり審決する。
【結　論】
　本件審判の請求は、成り立たない。
【理　由】
１．手続の経緯
　本願は、平成７年１０月５日の出願であって、平成１５年１２月２日付けで拒絶査定がなされ、これに対し、平成１６年１月７日に拒絶査定に対する審判請求がなされるとともに、平成１６年２月４日付けで手続補正がなされたものである。
　
２．平成１６年２月４日付け手続補正についての補正却下の決定
　
［補正却下の決定の結論］
　平成１６年２月４日付け手続補正を却下する。
　
［理由］
（１）補正の内容
　本件補正は、補正前の平成１５年１１月４日付けの手続補正書の特許請求の範囲、
「【請求項１】　ゴム状重合体（ａ）の存在下または非存在下に、芳香族ビニル化合物、シアン化ビニル化合物、（メタ）アクリル酸エステル、無水マレイン酸およびマレイミド化合物の群から選ばれた少なくとも１種の単量体成分（ｂ）〔ただし、（ａ）＋（ｂ）＝１００重量％〕を重合して得られる（Ａ）ビニル系重合体１０〜９９重量部と、（Ｂ）他の熱可塑性樹脂（ただし、他の熱可塑性樹脂がポリカーボネートの場合は粘度平均分子量は１０，０００〜４０，０００であり、また他の熱可塑性樹脂としてポリエステルの単独使用を除く）９０〜１重量部の合計量１００重量部［ただし、（Ａ）〜（Ｂ）成分の組み合わせとして商品名：Ｂａｙｂｌｅｎｄ　ＦＲを除く］に対し、（Ｃ）着色剤（ただし、低次酸化チタンの単独使用を除く）０．００１〜５重量部を配合してなるレーザーマーキング用樹脂組成物。」
を、
　
「【請求項１】 ゴム状重合体（ａ）の存在下または非存在下に、芳香族ビニル化合物、シアン化ビニル化合物、（メタ）アクリル酸エステル、無水マレイン酸およびマレイミド化合物の群から選ばれた少なくとも１種の単量体成分（ｂ）〔ただし、（ａ）＋（ｂ）＝１００重量％〕を重合して得られる（Ａ）ビニル系重合体１０〜９９重量部と、（Ｂ）ポリカーボネート、ポリアミド、ポリフェニレンサルファイド、ポリフェニレンオキサイド、ポリエチレン、ポリプロピレン、ポリアセタール、ポリエーテルイミド、ポリイミド、ポリエーテルエステルケトン、ポリアリレート、エポキシ樹脂、ポリウレタン、及びノボラック樹脂から選ばれた少なくとも１種である他の熱可塑性樹脂９０〜１重量部の合計量１００重量部に対し（ただし、上記（Ａ）及び（Ｂ）の組合せとして、商品名「Ｂａｙｂｌｅｎｄ　ＦＲ９０」を除く。）、（Ｃ）着色剤（低次酸化チタンを含む着色剤を除く。）０．００１〜５重量部を配合してなるレーザーマーキング用樹脂組成物。」
と補正することを含むものである。
　
（２）補正の適否
　上記補正の適否について検討するに、補正前の「（Ｂ）他の熱可塑性樹脂（ただし、他の熱可塑性樹脂がポリカーボネートの場合は粘度平均分子量は１０，０００〜４０，０００であり、また他の熱可塑性樹脂としてポリエステルの単独使用を除く）９０〜１重量部の合計量１００重量部［ただし、（Ａ）〜（Ｂ）成分の組み合わせとして商品名：Ｂａｙｂｌｅｎｄ　ＦＲを除く］に対し」を、補正後の「（Ｂ）ポリカーボネート、ポリアミド、ポリフェニレンサルファイド、ポリフェニレンオキサイド、ポリエチレン、ポリプロピレン、ポリアセタール、ポリエーテルイミド、ポリイミド、ポリエーテルエステルケトン、ポリアリレート、エポキシ樹脂、ポリウレタン、及びノボラック樹脂から選ばれた少なくとも１種である他の熱可塑性樹脂９０〜１重量部の合計量１００重量部に対し（ただし、上記（Ａ）及び（Ｂ）の組合せとして、商品名「Ｂａｙｂｌｅｎｄ　ＦＲ９０」を除く。）」にする補正は、補正前の請求項１に記載した発明から、「粘度平均分子量は１０，０００〜４０，０００」との発明特定事項を削除するものであり、これにより「他の熱可塑性樹脂がポリカーボネートの場合」に「粘度平均分子量」が「１０，０００〜４０，０００」ではないものにまで特許請求の範囲が拡張されることになるので、上記補正は、特許法第１７条の２第４項第２号に掲げられた特許請求の範囲の減縮を目的とするものではなく、また、同１号に掲げられた請求項の削除、同３号に掲げられた誤記の訂正、同４号に掲げられた明りょうでない記載の釈明を目的とするものでもない。
　
（３）まとめ
　したがって、上記補正は、特許法第１７条の２第４項の規定に違反してなされたものであるから、その余のことを検討するまでもなく、特許法第１５９条第１項の規定において読み替えて準用する特許法第５３条第１項の規定により却下されるべきものである。
　
３．本願発明について
（１）本願発明
　平成１６年２月４日付けの手続補正は上記のとおり却下されたので、本願請求項１に係る発明は、平成１３年９月２５日付け及び平成１５年１１月４日付けの手続補正書により補正された明細書の記載からみて、その特許請求の範囲の請求項１に記載された事項により特定されるとおりのものである。
　
（２）引用例及び記載事項
　原査定の拒絶の理由に先願３として引用された、本件出願の日前の平成６年１０月３１日の特許出願であって、その出願後に特開平８−１２７６７０号公報として出願公開された、特願平６−２６６８９９号の出願の願書に最初に添付された明細書（以下、「先願明細書」という。）には、次の事項が記載されている。
　
記載事項Ａ：請求項１
「【請求項１】　（Ａ）熱可塑性樹脂１００重量部に対して（Ｂ）低次酸化チタンを０．００１〜２０重量部配合してなるレーザーマーキング用樹脂組成物。」
　
記載事項Ｂ：段落０００３
「【０００３】　レーザーマーキングを効果的に施すには、プラスチックを予め感光し易いように改質しておく必要がある。これは、材料の中に光や熱を吸収する充填剤を予め配合しておくことによってレーザー照射時に発泡、分解等によってマーキングが可能となる技術である。例えば、特開平１−２５４７４３号公報には、ＹＡＧレーザーによるプラスチックスのマーキング性の改善手段に白色の二酸化チタン又はこれとカーボンブラックを配合することが開示されている。」
　
記載事項Ｃ：段落０００６
「【０００６】　…本発明において（Ａ）成分として用いる熱可塑性樹脂としては特に限定されるものではなく、…本発明においては芳香族ポリカーボネート樹脂、ポリエチレンテレフタレート樹脂またはポリブチレンテレフタレート樹脂等の芳香族ポリエステル樹脂、ポリアミド樹脂、スチレン系樹脂の単独あるいは２種以上を混合して使用することが好ましく、最も好ましくは芳香族ポリカーボネート樹脂である。」
　
記載事項Ｄ：段落００１３
「【００１３】　本発明で使用されるスチレン系ポリマーとしては、ＡＢＳ樹脂、ＡＥＳ樹脂および、ポリスチレン・ＡＳ樹脂、ＭＢＳ樹脂などを挙げることができる。」
　
記載事項Ｅ：段落００１８〜００２０
「【００１８】　（Ｂ）成分として使用する低次酸化チタンでは、従来使用されているカーボンブラックが黄色味を帯びたマーキングになるのに対して、マーキング部の白色度が著しく高くなり高視認性のマーキングが得られる。…低次酸化チタンの配合割合は、（Ａ）成分である熱可塑性樹脂１００重量部に対して低次酸化チタンを０．００１〜２０重量部であり、特に好ましくは０．１〜１重量部である。…
　【００１９】　本発明において用いられる樹脂組成物には、さらには少量のカーボンブラックを配合することができる。…このカーボンブラックの配合割合は、（Ａ）成分である熱可塑性樹脂組成物１００重量部に対してカーボンブラック０．０１〜１重量部である。低次酸化チタンの配合量に対するカーボンブラックの配合量比が大きくなるとレーザーによる発熱量が多くなり樹脂の熱変色が進みマーキング色が黄色く変色し、視認性が悪くなるので使用量は制限される。
　【００２０】　本発明において用いられる熱可塑性樹脂組成物には、白色、黒色系着色剤を配合することは可能であるが、マーキングの白色度を重視する点で、白色、黒色系以外の着色剤は配合しない方がよい。」
　
記載事項Ｆ：段落００２６〜００２８
「【００２６】　ＰＣ；ビスフェノールＡとホスゲンより製造される粘度平均分子量２５、０００の芳香族ポリカーボネート樹脂（帝人化成（株）　パンライト　Ｌ−１２５０）…　ＡＢＳ；スチレン系樹脂（三井東圧化学（株）製　ＵＴ−６１）　低次酸化チタン；三菱マテリアル（株）製　１３Ｍ　ファーネスブラック；三菱マテリアル（株）製　ＭＡ−１００…
　【００２８】【表１】
　 組成 　　　　　　　　　実施例（重量部）
　　　　　　　　　　…　　２　　…　　　６　…
　 ＰＣ 　　　　　　　１００　　…　　５０　…
　ＡＢＳ　　　　　　　　　　　　…　　５０　…
低次酸化チタン　　　　０．３　　…　０．３　…
ファーネスブラック　　０．０５　…　　　　　…」
　
（３）対比・判断
　先願明細書には、「（Ａ）熱可塑性樹脂１００重量部に対して（Ｂ）低次酸化チタンを０．００１〜２０重量部配合してなるレーザーマーキング用樹脂組成物。」であって（記載事項Ａ）、（Ａ）成分として用いる熱可塑性樹脂としては、芳香族ポリカーボネート樹脂、スチレン系樹脂の２種以上を混合して使用することが好ましく（記載事項Ｃ）、使用されるスチレン系ポリマーとしては、ＡＢＳ樹脂、ＡＥＳ樹脂および、ポリスチレンなどを挙げることができ（記載事項Ｄ）、（Ａ）成分である熱可塑性樹脂組成物１００重量部に対してカーボンブラック０．０１〜１重量部をさらに配合することができ、低次酸化チタンの配合割合は、特に好ましくは（Ａ）成分１００重量部に対して０．１〜１重量部である（記載事項Ｅ）、レーザーマーキング用樹脂組成物が記載されている。
　
　本願請求項１に係る発明（以下、「本願発明」という。）と先願明細書に記載された発明（以下、「先願発明」という。）とを比較する。
　
　まず、先願発明の「ＡＢＳ樹脂、ＡＥＳ樹脂および、ポリスチレン」などの「スチレン系樹脂」について、先願発明の「ＡＢＳ樹脂、ＡＥＳ樹脂」は本願明細書の段落００２０の「（Ａ）成分の好ましい組合せは、…ＡＢＳ樹脂（またはＡＥＳ樹脂）」との記載からみて本願発明の「（Ａ）ビニル系重合体」に相当するものと解され、先願発明の「ポリスチレン」はスチレンの単重合体であって、「スチレン」は本願明細書の段落００１０の「単量体成分（ｂ）を構成する芳香族ビニル化合物としては、スチレン」との記載からみて本願発明の「芳香族ビニル化合物」に該当するから、先願発明の「ポリスチレン」は本願発明の「ゴム状重合体（ａ）の非存在下に、芳香族ビニル化合物の単量体線分（ｂ）を重合して得られる（Ａ）ビニル系重合体」に相当するものである。よって、先願発明の「スチレン系樹脂」は、本願発明の「ゴム状重合体（ａ）の存在下または非存在下に、芳香族ビニル化合物の単量体成分（ｂ）〔ただし、（ａ）＋（ｂ）＝１００重量％〕を重合して得られる（Ａ）ビニル系重合体」との発明特定事項を満たすものである。
　
　次に、先願発明の「芳香族ポリカーボネート樹脂」は、「ポリエステルの単独使用」に該当しないものであり、先願明細書の段落００２６の「粘度平均分子量２５、０００の芳香族ポリカーボネート」との記載からみて（記載事項Ｆ）、その粘度平均分子量が２５、０００であるものを含むものであるから、本願発明の「（Ｂ）他の熱可塑性樹脂（ただし、他の熱可塑性樹脂がポリカーボネートの場合は粘度平均分子量は１０，０００〜４０，０００であり、また他の熱可塑性樹脂としてポリエステルの単独使用を除く）」との発明特定事項を満たすものである。
　
　そして、先願発明は、芳香族ポリカーボネート樹脂とスチレン系樹脂の２種を混合して使用する場合を含むものであって、その配合比としては、先願明細書の段落００２８に示されるように、ＰＣ（芳香族ポリカーボネート樹脂）５０重量部に対して、ＡＢＳ（スチレン系樹脂）５０重量部である場合が含まれ（記載事項Ｆ）、かつ、平成１５年１１月４日付けの意見書の『先願１の…「Ｂａｙｂｌｅｎｄ　ＦＲ９０」とは、…「ＡＢＳ＋ポリカーボネート、防炎剤を含む」』との記載を参酌するに、「防炎剤」を必須成分としていない先願発明の樹脂混合物は「Ｂａｙｂｌｅｎｄ　ＦＲ９０」ではないと解されるから、先願発明の樹脂混合物は、本願発明の「（Ａ）ビニル系重合体１０〜９９重量部と、（Ｂ）他の熱可塑性樹脂９０〜１重量部の合計量１００重量部［ただし、（Ａ）〜（Ｂ）成分の組み合わせとして商品名：Ｂａｙｂｌｅｎｄ　ＦＲを除く］」との発明特定事項を満たすものである。
　
　さらに、先願発明の「低次酸化チタン」及び「カーボンブラック」は、先願明細書の段落０００３の「光や熱を吸収する充填剤を予め配合しておくことによってレーザー照射時に…マーキングが可能となる…カーボンブラックを配合する」との記載（記載事項Ｂ）、同００１８の「低次酸化チタンでは…高視認性のマーキングが得られる」との記載（記載事項Ｅ）、並びに本願明細書の段落００３６の「（Ｃ）着色剤は、…光エネルギーを熱エネルギーに変換することで、マーキングする」との記載からみて、本願発明の「着色剤」に相当し、カーボンブラックを併用する場合は「低次酸化チタンを単独使用」する場合に該当しないから、先願発明の「低次酸化チタン」及び「カーボンブラック」は、本願発明の「（Ｃ）着色剤（ただし、低次酸化チタンの単独使用を除く）」に相当するものと解され、先願発明の着色剤の配合割合は、その（Ａ）成分である熱可塑性樹脂１００重量部に対して、「低次酸化チタン」については「特に好ましくは０．１〜１重量部」、「カーボンブラック」については「０．０１〜１重量部」であって、その総和は「０．１１〜２重量部」となるので、本願発明の「０．００１〜５重量部」との発明特定事項を満たすものである。
　
　してみると、本願発明と先願発明とは、「ゴム状重合体（ａ）の存在下または非存在下に、芳香族ビニル化合物の単量体成分（ｂ）〔ただし、（ａ）＋（ｂ）＝１００重量％〕を重合して得られる（Ａ）ビニル系重合体５０重量部と、（Ｂ）他の熱可塑性樹脂（ただし、他の熱可塑性樹脂がポリカーボネートの場合は粘度平均分子量は１０，０００〜４０，０００であり、また他の熱可塑性樹脂としてポリエステルの単独使用を除く）５０重量部の合計量１００重量部［ただし、（Ａ）〜（Ｂ）成分の組み合わせとして商品名：Ｂａｙｂｌｅｎｄ　ＦＲを除く］に対し、（Ｃ）着色剤（ただし、低次酸化チタンの単独使用を除く）０．１１〜２重量部を配合してなるレーザーマーキング用樹脂組成物。」という点で一致し、両者に相違する点はない。
　
　したがって、本願発明は、先願発明（本件出願の日前の他の特許出願であって、本件出願後に出願公開がされた上記の特許出願の願書に最初に添付した明細書又は図面に記載された発明）と同一であり、しかも、本件出願の発明者がその出願前の特許出願に係る上記の発明をした者と同一ではなく、また本件出願の時において、その出願人が上記特許出願の出願人と同一でもないので、特許法第２９条の２の規定により特許を受けることができない。
　
（４）むすび
　以上のとおり、本願発明は、特許法第２９条の２の規定により特許を受けることができず、本願は拒絶すべきものである。
　よって、結論のとおり審決する。